(57)【特許請求の範囲】
【請求項１】
センター装置から複数の端末装置各々へ順次下り信号を送信し、前記端末装置は前記センター装置へ前記下り信号に対する応答信号としての上り信号を所定の第１の周波数にて送信するセキュリティシステムにおいて、
前記複数の端末装置各々は、保守モードに設定されている時には前記第１の周波数とは異なる所定の第２の周波数にて前記下り信号に対する応答信号としての上り信号を送信することを特徴とするセキュリティシステム。
【請求項２】
前記複数の端末装置各々には、前記端末装置に設けた保守モードに設定するための指示手段の操作、及び又は、前記センター装置からの保守モード設定用の下り信号の受信に応じて、前記第２の周波数による上り信号の送信を開始制御するための制御手段、を設けたことを特徴とする請求項１に記載のセキュリティシステム。
【請求項３】
前記端末装置の制御手段は、保守モードに設定された際には前記第２の周波数における上り信号の連続送信を開始制御することを特徴とする請求項１又は２記載のセキュリティシステム。
【請求項４】
センター装置から複数の端末装置各々へ順次下り信号を送信し、前記端末装置は前記センター装置へ前記下り信号に対する応答信号としての上り信号を所定の第１の送信長にて送信するセキュリティシステムにおいて、
前記複数の端末装置各々は、保守モードに設定されているときには前記第１の送信長よりも長い所定の第２の送信長にて前記下り信号に対する応答信号としての上り信号を送信することを特徴とするセキュリティシステム。
【請求項５】
前記複数の端末装置各々には、前記センター装置からの保守モード設定用の前記下り信号の受信に応じて、前記第２の送信長による上り信号の送信を開始制御するための制御手段、を設けたことを特徴とする請求項４に記載のセキュリティシステム。
【請求項６】
前記第２の送信長の上り信号は、前記第１の上り信号を連続して送信する構成であることを特徴とする請求項４又は５記載のセキュリティシステム。
【請求項７】
センター装置から送信された下り信号に対応し、前記センター装置へ上り信号を所定の第１の周波数にて送信するセキュリティシステムの端末装置において、
前記端末装置を保守モードに設定するための指示手段、及び又は、前記センター装置からの保守モード設定用の下り信号の受信に応じて、前記センター装置から送信された下り信号に対し前記第１の周波数とは異なる前記第２の周波数による上り信号の送信を開始制御するための制御手段、を備えたことを特徴とする端末装置。
【請求項８】
センター装置から送信された下り信号に対応し、前記センター装置へ上り信号を所定の第１の送信長にて送信するセキュリティシステムの端末装置において、
前記センター装置からの保守モード設定用の下り信号の受信に応じて、前記センター装置から送信された下り信号に対し前記第１の送信長よりも長い第２の送信長による上り信号の送信を開始制御するための制御手段、を備えたことを特徴とする端末装置。
【発明の詳細な説明】
【０００１】
【発明の属する技術分野】
本発明は、センター装置と複数の端末装置を備え、センター装置からの応答要求通信に応じて端末装置各々から応答通信を行うセキュリティシステム及びその端末装置に関する。
【０００２】
【従来の技術】
従来より、戸建住宅が多数軒を並べる大規模ニュータウンや、戸建住宅のほかに集合住宅を含む複合型ニュータウン向けのセキュリティシステムが構築されている。特に近年、ＣＡＴＶセンターから各住戸に向けてＣＡＴＶ放送を行うためのＣＡＴＶ設備を利用したＣＡＴＶ利用型のセキュリティシステムが提案されている。
このようなＣＡＴＶ利用型のセキュリティシステムにおいて、ＣＡＴＶセンターには、ＣＡＴＶ放送設備に加えて、セキュリティ情報を制御するための操作卓及び通信制御装置等が配置される。また各住戸には、ＣＡＴＶ放送受像装置に加えて、火災報知器、警報押釦及びこれらを制御する制御盤等が配置される。これらＣＡＴＶセンターと各住戸とは、増幅器、分配器及び同軸ケーブルを含むＣＡＴＶ伝送路にて双方向通信可能に接続されている。
【０００３】
そして、ＣＡＴＶセンターから各住戸に対してポーリング・セレクティング方式による通信が行われ、各住戸のセキュリティ情報がＣＡＴＶセンターにて収集される。
具体的には、各住戸には固有のアドレスが割当てられている。そしてＣＡＴＶセンターからは一のアドレスを含む信号が全住戸に送信される（以下、この通信を応答要求通信とし、この信号を応答要求信号とする。またこの応答要求信号を含みＣＡＴＶセンターから各住戸に送信される信号を下り信号と総称する）。この応答要求通信は、例えばＦＳＫ−ＦＭ変調にて、７０ＭＨｚ帯の所定の周波数を使用して行われる。
ＣＡＴＶセンターからの信号を受けた各住戸においては、該信号に含まれるアドレスが自己に割当てられたアドレスと一致するか否かが制御盤にて判断される。そして一致する場合には火災報知器や警報押釦の発報の有無に関する情報と、自己のアドレスとを含む信号をＣＡＴＶセンターに送信する（以下、この通信を応答通信とし、この信号を応答信号とする。またこの応答信号を含み各住戸からＣＡＴＶセンターに送信される信号を上り信号と総称する）。この応答通信は例えばＦＳＫ−ＦＭ変調にて、４０ＭＨｚ帯の所定の周波数を使用して行われる。この応答信号は一つの応答要求信号に対して一つ送信され、その長さは所定の一定長である（以下、一つの応答要求信号に対する応答信号の繰返送信数×個々の応答信号の送信時間＝送信長とする）。
住戸からの応答通信があった場合、ＣＡＴＶセンターでは、操作卓にて応答信号が解析され、火災報知器や警報押釦の発報の有無が判別される。そして発報がある場合には、応答信号に含まれるアドレスから発報元の住戸が特定され、警報を鳴らす等の所定の発報動作が行われる。
【０００４】
一方、住戸からの応答通信がない場合もあり、この場合ＣＡＴＶセンターでは、ＣＡＴＶ伝送路中あるいは住戸に何らかの通信障害があったものと判断され障害警報が発せられる。
このような通信障害は、次のような理由により生じる。
すなわち、ＣＡＴＶセンターに配置されるモデムには、ノイズをカットするために予め入力レベル範囲が設定されている（例えば４０〜６０ｄＢμ、あるいは６０〜９０ｄＢμかつキャリアディテクト検出レベルが５０ｄＢμ）。そして各住戸から送信された応答信号のキャリアレベルが該入力レベル範囲外であればモデムにてカットされる。そのため、各住戸からＣＡＴＶセンターに送信される応答信号のキャリアレベルは、上記入力レベル範囲に入るよう、極力一定に調整される。
しかしながらＣＡＴＶ伝送路中の信号損失は、増幅器や分配器の数、端子間の接触状態、同軸ケーブルの劣化等によって生じ、これらは経路毎に異なる。したがって実際にＣＡＴＶセンターに送信される応答信号のキャリアレベルは一定でなく、経路毎にバラツキが生じる。この結果、ＣＡＴＶセンターのモデムにてカットされる応答信号が発生し、応答通信がないと判断される場合が生じる。
【０００５】
このような理由によって住戸からの応答通信がないと判断され、ＣＡＴＶセンターにおいて障害警報が発せられた場合には、障害の事実を確認するため、管理者が住戸からの応答信号の有無やそのキャリアレベルを目視で確認する必要がある。具体的には、各住戸からの応答信号をスペクトルアナライザーにて表示する。そして表示された応答信号内に、応答通信がないものとして障害警報が発せられた住戸からの応答信号があるか否か、またそのキャリアレベルがどの程度であるかが目視される。
【０００６】
【発明が解決しようとする課題】
しかしながら、このようにポーリング・セレクティング方式によって順次送られてくる応答信号を目視で確認する場合、従来のセキュリティシステムにおいては各住戸からの応答信号は同じ周波数（例えば４２ＭＨｚ）かつ同じ送信長であったので、応答信号の住戸毎の区別が非常に困難であった。すなわちスペクトルアナライザーには、同じ周波数の応答信号が一定間隔で次々に表示されるため、この次々送られてくる応答信号の中から障害発生のおそれのある特定住戸からの応答信号を区別して認識することは非常に困難であった。したがって障害発生の確認に手間を要し、システムの保全及び復旧に時間を要するおそれがあった。
なお特定住戸の応答信号を区別するためには、障害発生のおそれのある特定住戸のみに応答要求通信を行い、他の住戸への応答要求通信を中断することも考えられる。この場合にはスペクトルアナライザーに特定住戸の応答信号のみが表示されるために、その確認が容易となる。しかしこの場合には、特定住戸以外の住戸におけるセキュリティ監視を行うことができなくなり、望ましくない。
【０００７】
本発明は、従来のこのようなセキュリティシステム及びその端末装置における問題点に鑑みてなされたもので、通常のセキュリティ監視を中断することなく、特定住戸の応答信号を容易に区別して障害の有無を確認することのできる、セキュリティシステム及びその端末装置を提供することを目的とする。
【０００８】
【課題を解決するための手段】
このような従来のセキュリティシステムにおける問題点を解決するために請求項１に記載の本発明は、センター装置から複数の端末装置各々へ順次下り信号を送信し、前記端末装置は前記センター装置へ前記下り信号に対する応答信号としての上り信号を所定の第１の周波数にて送信するセキュリティシステムにおいて、前記複数の端末装置各々は、保守モードに設定されている時には前記第１の周波数とは異なる所定の第２の周波数にて前記下り信号に対する応答信号としての上り信号を送信することを特徴として構成されている。
【０００９】
また請求項２に記載の本発明は、請求項１に記載の本発明において、前記複数の端末装置各々には、前記端末装置に設けた保守モードに設定するための指示手段の操作、及び又は、前記センター装置からの保守モード設定用の下り信号の受信に応じて、前記第２の周波数による上り信号の送信を開始制御するための制御手段を設けたことを特徴として構成されている。
【００１０】
また請求項３に記載の本発明は、請求項１又は２に記載の本発明において、前記端末装置の制御手段は、保守モードに設定された際には前記第２の周波数における上り信号の連続送信を開始制御することを特徴として構成されている。
【００１１】
また請求項４に記載の本発明は、センター装置から複数の端末装置各々へ順次下り信号を送信し、前記端末装置は前記センター装置へ前記下り信号に対する応答信号としての上り信号を所定の第１の送信長にて送信するセキュリティシステムにおいて、前記複数の端末装置各々は、保守モードに設定されているときには前記第１の送信長よりも長い所定の第２の送信長にて前記下り信号に対する応答信号としての上り信号を送信することを特徴として構成されている。
【００１２】
また請求項５に記載の本発明は、請求項４に記載の本発明において、前記複数の端末装置各々には、前記センター装置からの保守モード設定用の前記下り信号の受信に応じて、前記第２の送信長による上り信号の送信を開始制御するための制御手段を設けたことを特徴として構成されている。
【００１３】
また請求項６に記載の本発明は、請求項４又は５記載の本発明において、前記第２の送信長の上り信号は、前記第１の上り信号を連続して送信する構成であることを特徴として構成されている。
【００１４】
また請求項７に記載の本発明は、センター装置から送信された下り信号に対応し、前記センター装置へ上り信号を所定の第１の周波数にて送信するセキュリティシステムの端末装置において、前記端末装置を保守モードに設定するための指示手段、及び又は、前記センター装置からの保守モード設定用の下り信号の受信に応じて、前記センター装置から送信された下り信号に対し前記第１の周波数とは異なる前記第２の周波数による上り信号の送信を開始制御するための制御手段、を備えたことを特徴として構成されている。
【００１５】
また請求項８に記載の本発明は、センター装置から送信された下り信号に対応し、前記センター装置へ上り信号を所定の第１の送信長にて送信するセキュリティシステムの端末装置において、前記センター装置からの保守モード設定用の下り信号の受信に応じて、前記センター装置から送信された下り信号に対し前記第１の送信長よりも長い第２の送信長による上り信号の送信を開始制御するための制御手段、を備えたことを特徴として構成されている。
【００１６】
【発明の実施の形態】
以下、本発明たるセキュリティシステム及びその端末装置の第１実施形態について図面を参照して詳細に説明する。図１はセキュリティシステム全体の構成を示すブロック図、図２は応答要求通信のフローチャート、図３は応答要求通信の信号又は応答通信の信号の構成ブロック図、図４は接続制御器２７の構成ブロック図である。
図１においてセキュリティシステムは、ＣＡＴＶセンター１、複数の住戸２、３、及びこれらを接続するＣＡＴＶ伝送路４によって構成されている。
【００１７】
このうちＣＡＴＶセンター１には、ＦＭアンテナ１１、ＢＳ／ＣＳアンテナ１２、及び自主放送や告知放送を放送するための放送設備１３を含んで構成されるＣＡＴＶ放送設備に加えて、セキュリティ情報を監視するためのパソコンを含む操作卓１４、通信を制御する通信制御装置１５、及びこれらＣＡＴＶ放送設備や通信制御装置１５のインターフェースを統括するヘッドエンド１６が配置されている。
また住戸２、３それぞれの屋内には、ＣＡＴＶ放送を受像するためのＴＶ２１、告知放送を受信するための告知放送受信機２２に加えて、火災感知器２３、警報押釦２４、及び情報制御盤２５が配置されている。また住戸２、３それぞれの屋外には、保安器２６と、端末装置たる接続制御器２７とが配置されている。
【００１８】
このうち情報制御盤２５は、火災感知器２３及び警報押釦２４を制御すると共に、図示しないインターホン設備及び警報表示設備を備える。また接続制御器２７はＣＡＴＶセンター１からの応答要求信号の復調及び解析を行い、またＣＡＴＶセンター１への応答信号の変調を行う。
またＣＡＴＶ伝送路４は、複数の双方向増幅器、分配器、及び同軸ケーブルを含んで構成されており、該ＣＡＴＶ伝送路４にてＣＡＴＶセンター１と住戸２、３が双方向通信可能に接続されている。
【００１９】
このようなＣＡＴＶ利用型のセキュリティシステムにおいて、ＣＡＴＶセンター１から住戸２、３に対してポーリング・セレクティング方式による応答要求通信が行われる。この応答要求通信に対応して住戸２、３からはＣＡＴＶセンター１に対して応答通信が行われて、住戸２、３のセキュリティ情報がＣＡＴＶセンター１にて収集・監視される。この応答要求通信及び応答通信について図２を参照しつつ概説する。なお本実施形態においては、住戸２、住戸３の順番に応答要求通信が行われ、住戸３において障害が発生したものとする。
【００２０】
まずＣＡＴＶセンター１の通信制御装置１５において、応答信号を返信してもらう住戸２、３に固有のアドレスをセットする（図２、Ｓ１）。そして通信制御装置１５にて、図３（ａ）に示すように、Ｓ１でセットした住戸２のアドレス、応答通信を行わせるためのデータコマンド、及びチェックコマンドにて構成される応答要求信号が生成され、全住戸２、３に送信される（図２、Ｓ２）。この応答要求信号は、例えば従来と同様にＦＳＫ−ＦＭ変調にて、７０ＭＨｚ帯の所定の周波数（例えば７１ＭＨｚ、ただし住戸数が多いために割当てアドレス数が上限値を超える場合には複数周波数を用いたチャンネル分けが行われる）にて送信される。
【００２１】
応答要求信号を受けた住戸２、３においては、図４に示す接続制御器２７の制御部２７ｂにおいて、該応答要求信号に含まれるアドレスが自己に割当てられたアドレスと一致するか否かが判断される。本実施形態においては住戸２の接続制御器２７において一致すると判断される。そして一致すると判断された場合には情報制御盤２５を介して火災報知器２３や警報押釦２４の発報の有無に関するデータが収集され、図３（ｂ）に示すように、自己のアドレス、収集したデータ、及びチェックコマンドにて構成される応答信号が生成されて、ＣＡＴＶセンター１に送信される。この応答信号は例えばＦＳＫ−ＦＭ変調にて、第１の周波数たる４０ＭＨｚ帯の所定の周波数（例えば４２ＭＨｚ、ただし住戸数が多いために割当てアドレス数が上限値を超える場合には複数周波数を用いたチャンネル分けが行われる。）を使用して送信される。この応答信号の送信長は所定の第１の送信長であり、例えば、応答信号の繰返送信数１×個々の応答信号の送信時間０．５秒＝０．５秒である。
【００２２】
この間、ＣＡＴＶセンター１の通信制御装置１５では、応答通信の有無が監視されており（図２、Ｓ３、４）、応答通信があった場合には通信制御装置１５にて信号の復調、解析が行われる（図２、Ｓ５、６）。そして応答通信の信号に含まれるアドレスが監視中の住戸のアドレスであるか否かが確認された後（図２、Ｓ７）、応答通信の信号に含まれるデータが一巡前のポーリングにおいて同住戸２から送られてきたデータと同じか否かが判断される（図２、Ｓ８）。そして同じ場合には、住戸２にセキュリティ上の変化がないと判断され、次の住戸３へのポーリングを行うべく、新たな信号を生成する（図２、Ｓ１）。
【００２３】
なお同じでない場合には、確認のために同じ住戸２からデータを再度取得するための確認通信を行い（図２、Ｓ９）、データの一致を再度判断する（図２、Ｓ１０）。この再度の判断においても同じでない場合には、住戸２にセキュリティ上の変化があるもの、あるいは復旧されたものと判断され、発報又は復旧の処理が行われる（図２、Ｓ１１）。
図５（ａ）には上記ポーリングにおけるタイミングチャートを示す。この図５（ａ）においてＳＧ１〜ＳＧ５はそれぞれ、住戸２への応答要求信号、住戸２からの応答信号、住戸３への応答要求信号、住戸３からの応答信号、その他の図示しない任意の住戸に対する応答要求信号である。このうち少なくともＳＧ２とＳＧ４の送信長は例えば上記のように０．５秒である。
【００２４】
住戸３に対しても上記と同様に応答要求通信が行われ、図２のＳ４において所定時間経過しても応答通信が得られない場合、応答通信が得られるまで、応答要求通信が住戸３に再度送信（リトライ）される（図２、Ｓ１２、Ｓ２〜Ｓ４）。そして２度リトライしても応答通信が得られない場合、ＣＡＴＶ伝送路４中又は住戸３に何らかの異常があったものと判断され、障害処理が行われる（図２、Ｓ１３）。具体的にはＣＡＴＶセンター１の操作卓１４の図示しない表示設備に応答通信が得られない住戸３が表示されると共に障害警報が発せられる。
【００２５】
この表示を目視した管理者は、応答通信が得られない住戸３に急行する。
ここで本実施形態における端末装置たる接続制御器２７には、図４にブロック図として示すように、指示手段たる指示スイッチ２７ａが設けられている。この指示スイッチ２７ａは、ＣＡＴＶセンター１への上り信号を、第１の周波数たる４２ＭＨｚにて送信する通常監視時の送信モードと、第１の周波数たる４２ＭＨｚとは異なる所定の第２の周波数（例えば４４ＭＨｚ）によるものでポーリング周期とは無関係の連続送信を行う保守時の送信モードのいずれによって送信するかを切替えるものである。
そして住戸３に急行した管理者は、接続制御器２７の指示スイッチ２７ａを操作して、上り信号を第２の周波数４４ＭＨｚにて連続的に送信させる保守時の送信モードに切替える。なお接続制御器２７は住戸３の屋外に設定されているため、居住者が不在等でも指示スイッチ２７ａを容易に操作することができる。
【００２６】
そして管理者は、ＣＡＴＶセンター１にて、住戸２、３に対して通常時と同様の応答要求通信を行い、住戸２、３からの応答信号をスペクトルアナライザーにて確認する。図６には、本実施形態における住戸２、３からの応答信号を表示するスペクトルアナライザーの画面を示す。住戸２からの応答信号の波形は、図６に符号ＳＰ１として示すように、これまでと同じ第１の周波数４２ＭＨｚの波形として表示される。この波形ＳＰ１は、通常監視時の応答信号の送信時間となる第１の送信長たる０．５秒間だけ表示される。一方、住戸３からの応答信号の波形は、図６に符号ＳＰ２として示すように、第２の周波数４４ＭＨｚの波形として表示される。住戸３からは、指示スイッチ２７ａの設定によって第２の周波数４４ＭＨｚの信号がポーリング周期に関わらず連続的に発信されているため、この波形ＳＰ２は連続表示される。
【００２７】
したがって管理者は、表示される周波数の相違によって、住戸３からの応答信号を住戸２からの応答信号から容易に区別することができ、住戸３からの応答信号を特定して確認することができる。そして管理者はこの住戸３からの応答信号を目視し、そのレベルを確認することによって、ＣＡＴＶ伝送路４中の障害の有無やその程度等を判断することができる。また住戸２に対しては通常時と同じ応答要求通信を行い、住戸２からは通常時と同様にセキュリティ情報を含む応答通信を得ることができるので、他の住戸に対するセキュリティ監視を中断することがない。
なお障害確認後は、管理者が接続制御器２７の指示スイッチ２７ａを再び操作して、第１の周波数４２ＭＨｚによる通常監視時の送信モードに切替えることによって、通常の監視状態に復帰する。
【００２８】
次に本発明の第２実施形態について説明する。ただし特に説明なき構成については上記第１実施形態と同じであり、また同じ構成は同符号にて示す。
本実施形態においては、第１実施形態と同様に、周波数によって住戸２、３からの応答信号を区別可能とするが、接続制御器２７には指示スイッチ２７ａを設けず、ＣＡＴＶセンター１からの応答要求信号によって周波数を切替える。
すなわちＣＡＴＶセンター１において応答通信が得られないとして住戸３が表示されると共に障害警報が発せられた場合、管理者が操作卓１４の図示しない所定のスイッチを操作することによって、図３（ａ）に示す応答要求信号が生成される。ここでこの応答要求信号のデータ・コマンドは、障害警報の対象となっている住戸３における上り信号の送信を、ＰＬＬ（ＰｈａｓｅＬｏｃｋｅｄＬｏｏｐ）制御により、第１の周波数たる４２ＭＨｚとは異なる所定の第２の周波数（例えば４４ＭＨｚ）によるもので、ポーリング周期に無関係に連続して行われる送信モードによる送信に切替えるものである。このようなデータ・コマンドを含む応答要求信号の生成は、操作卓１４からの指示を受けた通信制御装置１５の図示しない制御部によって所定のプログラム手順に基づいて行われる。
このようなデータ・コマンドを含む応答要求信号を受けた住戸３の接続制御器２７は、コマンドを解析・実行し、第２の周波数４４ＭＨｚによる上り信号の連続送信を開始する。
【００２９】
したがって管理者が住戸２、３からの応答信号をスペクトルアナライザーにて確認する場合、上記第１実施形態におけるのと同様に、住戸２、３からの応答信号をその周波数差に基づいて区別して目視することができる。
特に本実施形態においては、接続制御器２７の指示スイッチ２７ａでなく、ＣＡＴＶセンター１からの応答要求信号によって周波数を切替え制御することができるので、管理者が住戸３まで出向くことなく周波数を切替えることができ、障害確認作業が一層容易となる。
【００３０】
なお障害確認後は、管理者が操作卓１４の図示しない所定のスイッチを操作することによって、住戸３を通常の送信モードとするためのデータ・コマンドを含む応答要求信号が生成され送信される。この応答要求信号のデータ・コマンドは、障害警報の対象となっている住戸３における上り信号の送信を、ＰＬＬ（ＰｈａｓｅＬｏｃｋｅｄＬｏｏｐ）制御により、第１の周波数４２ＭＨｚの通常監視時の送信モードに切替えるものである。このようなコマンドを含む応答要求信号を受けた住戸３の接続制御器２７は、コマンドを解析・実行し、第１の周波数４２ＭＨｚによる上り信号の送信で住戸３は通常の監視状態に復帰する。
【００３１】
次に本発明の第３実施形態について説明する。ただし特に説明なき構成については上記第１実施形態と同じであり、また同じ構成は同符号にて示す。
本実施形態においては、通常監視時と保守モード時で上り信号の周波数は一定とし、その変わりに送信長を切替ることで応答信号の区別を可能としている。この場合、応答通信で使用する周波数が一つでよいので、使用できる周波数が少ない場合でも実現可能である。
【００３２】
本実施形態においては、送信長によって住戸２、３からの応答信号を区別可能とし、ＣＡＴＶセンター１からの応答要求信号によって送信長を切替える。
つまり、ＣＡＴＶセンター１への上り信号の送信を、第１の周波数４２ＭＨｚかつ第１の送信長０．５秒にて送信する送信モードと、第１の周波数４２ＭＨｚかつ第１の送信長０．５秒とは異なる所定の第２の送信長（例えば５秒）にて送信する送信モードのいずれによって送信するかを切替えるものである。なお第２の送信長は、第１の送信長に対して、応答信号の繰返送信数と個々の応答信号の送信時間とのいずれを変更したものであってもよい。例えば第１の送信長における応答信号の送信時間と同じ送信時間の応答信号を複数回繰返し送信してもよく、あるいは第１の送信長における応答信号の送信時間より長い時間の応答信号を１回だけ送信してもよい。
【００３３】
ＣＡＴＶセンター１において応答通信が得られないとして住戸３が表示されると共に障害警報が発せられた場合、管理者が操作卓１４の図示しない所定のスイッチを操作することによって、図３（ａ）に示す応答要求信号が生成される。ここでこの応答要求信号のデータ・コマンドは、障害警報の対象となっている住戸３における上り信号の送信モードを、ＰＬＬ（ＰｈａｓｅＬｏｃｋｅｄＬｏｏｐ）制御により、第１の周波数４２ＭＨｚかつ第２の送信長５秒にて送信する送信モードに切替えるためのコマンドである。
このようなコマンドを含む応答要求信号を受けた住戸３の接続制御器２７は、コマンドを解析・実行し、保守モード時の第１の周波数４２ＭＨｚかつ第２の送信長５秒にて上り信号の送信を開始する。
【００３４】
図５（ｂ）には本実施形態のポーリングにおけるタイミングチャートを示す。この図５（ｂ）においてＳＧ６〜ＳＧ１０はそれぞれ、住戸２への応答要求信号、住戸２からの応答信号、住戸３への応答要求信号、住戸３からの応答信号、その他の図示しない任意の住戸に対する応答要求信号である。このうちＳＧ７は第１の送信長０．５秒にて送信され、ＳＧ９は第１の送信長０．５秒の応答信号を複数回繰返して送信されることによって全体として第２の送信長５秒にて送信される。
【００３５】
図７には、本実施形態における住戸２、３からの応答信号を表示するスペクトルアナライザーの画面を示す。住戸２からの応答信号の波形は、図７（ａ）に符号ＳＰ３として示すように、第１の周波数４２ＭＨｚの波形として表示される。この波形ＳＰ１は、第１の送信長たる０．５秒間だけ表示され、その後には図７（ｂ）のゼロレベルが表示される。
このゼロレベル表示の後、住戸３からの応答信号の波形は、図７（ｃ）に符号ＳＰ４として示すように、ＳＰ３と同じく第１の周波数４２ＭＨｚの波形として表示される。しかし応答信号図７（ｄ）に連続して示すように、波形ＳＰ３は第２の送信長たる５秒間連続して表示される。
【００３６】
したがって表示される長さの相違によって、住戸３からの応答信号を住戸２からの応答信号から容易に区別することができ、住戸３からの応答信号を特定して確認することができる。そして管理者はこの住戸３からの応答信号を目視し、ＣＡＴＶ伝送路４中の障害の有無やその程度等を判断することができる。
特に本実施形態においては、住戸２のみならず住戸３からも通常時と同様にセキュリティ情報を含む応答通信を得ることができるので、住戸３に対するセキュリティ監視を中断することがない。
【００３７】
なお障害確認後は、管理者が操作卓１４の図示しない所定のスイッチを操作することによって、第２実施形態と同様に、第１の周波数４２ＭＨｚかつ第１の送信長０．５秒にて送信するための通常監視時の送信モードに切替えるためのコマンドを含む応答要求信号を生成して送信する。そして該応答要求信号を受けた住戸３の接続制御器２７は、コマンドを解析・実行し、第１の周波数４２ＭＨｚかつ第１の送信長０．５秒による上り信号の送信を開始する。これで住戸３は通常の監視状態に復帰する。
【００３８】
さてこれまで本発明の第１〜第３実施形態について説明したが、本発明は上記に示した実施形態に限定されず、その技術的思想の範囲内において種々異なる形態にて実施されてよいものであり、以下これら異なる形態について説明する。
まずＣＡＴＶセンターの構成は図示のものに限られず、周知の他の構成にて代替されてもよく、少なくとも住戸に対して応答要求通信を行うことができるものであればよい。また住戸の構成も図示のものに限られず周知の他の構成にて代替されてもよく、少なくともＣＡＴＶセンターに対して応答通信を行うことができると共に、第１の周波数とは異なる第２の周波数で、及び又は、第１の送信長とは異なる第２の送信長で上り信号を送信することができるものであればよい。
【００３９】
また第２の周波数及び又は第２の送信長による上り信号は、第３実施形態に示したようにＣＡＴＶからの応答要求信号に対する応答信号として送信されてもよく、あるいは第１及び第２実施形態に示したように応答要求信号とは無関係な信号として送信されてもよい。例えば第２の周波数の応答信号を連続送信でなくポーリングタイミングに従って第１の送信長にて送信してもよい。また障害時の応答信号は、通常のポーリングタイミングに従って送信してもよく、あるいは指示スイッチや応答要求信号による切替直後に割込み送信してもよい。
【００４０】
また各実施形態に示した第１の周波数及び第２の周波数は例示にすぎず、他の周波数であってもよい。特に第２の周波数は、第１の周波数による通信に障害を与えることがなく、かつ、第１の周波数に対する周波数差が目視又は他の電子的判断によって認識できる周波数であればよい。また各実施形態に示した第１の送信長及び第２の送信長は例示にすぎず、他の送信長であってもよい。この第２の送信長は、第１の送信長に対する送信長差が目視又は他の電子的判断によって認識できる送信長であればよい。
この他、上記第２実施形態においては、復旧するためのコマンドを含む応答要求信号を管理者の操作によって送信して復旧するものとして説明した。しかしこの復旧の手間を省くため、第２の周波数や第２の送信長による送信を指示するためのコマンドに、所定時間経過後には自動復旧するための命令を含めておいてもよい。
【００４１】
【発明の効果】
上記したように請求項１、２、３、７に記載の本発明は、複数の端末装置各々は、第１の周波数とは異なる所定の第２の周波数にて上り信号を送信可能であること等により、周波数の相違によって複数の住戸の応答信号を相互に区別することができ、特定住戸の応答信号を容易に確認することができる。また障害の発生していない住戸に対しては通常時と同じ応答要求通信を行い、通常時と同様にセキュリティ情報を含む応答通信を得ることができるので、セキュリティ監視を中断することがない。
特に請求項２、３、７に記載の本発明によれば、ＣＡＴＶセンターからの応答要求信号によって周波数を切替え制御することができるので、管理者が住戸まで出向くことなく周波数を切替えることができ障害確認作業が一層容易となる。
【００４２】
また請求項４、５、６、８に記載の本発明は、複数の端末装置各々は、第１の送信長とは異なる所定の第２の送信長にて上り信号を送信可能であること等により、送信長の相違によって複数の住戸の応答信号を相互に区別することができ、特定住戸の応答信号を容易に確認することができる。また障害の発生している住戸に対しても通常時と同じ応答要求通信を行い、通常時と同様にセキュリティ情報を含む応答通信を得ることができるので、全住戸に対してセキュリティ監視を中断することがない。
特に請求項５、６、８に記載の本発明によれば、ＣＡＴＶセンターからの応答要求信号によって送信長を切替え制御することができるので、管理者が住戸まで出向くことなく送信長を切替えることができ障害確認作業が一層容易となる。
【図面の簡単な説明】
【図１】本発明の第１実施形態におけるセキュリティシステム全体の構成を示すブロック図である。
【図２】応答要求通信のフローチャートである。
【図３】（ａ）は応答要求通信の信号の構成ブロック図、（ｂ）は応答通信の信号の構成ブロック図である。
【図４】第１実施形態における接続制御器の構成ブロック図である。
【図５】（ａ）は第１実施形態のポーリングにおけるタイミングチャート、（ｂ）は第３実施形態のポーリングにおけるタイミングチャートである。
【図６】第１、２実施形態における住戸からの応答信号を表示するスペクトルアナライザーの画面である。
【図７】第３実施形態における住戸からの応答信号を表示するスペクトルアナライザーの画面であり、（ａ）〜（ｄ）はそれぞれ障害のない住戸の応答信号、ゼロレベル、障害のある住戸の応答信号、同じく障害のある住戸の応答信号に関する。
【符号の説明】
１  ＣＡＴＶセンター
２、３  住戸
４  ＣＡＴＶ伝送路
１１  ＦＭアンテナ
１２  ＢＳ／ＣＳアンテナ
１３  放送設備
１４  操作卓
１５  通信制御装置
１６  ヘッドエンド
２１  ＴＶ
２２  告知放送受信機
２３  火災感知器
２４  警報押釦
２５  情報制御盤
２６  保安器
２７  接続制御器
２７ａ  指示スイッチ
２７ｂ  制御部
【図１】
0004005706.tif 000002
【図２】
0004005706.tif 000003
【図３】
0004005706.tif 000004
【図４】
0004005706.tif 000005
【図５】
0004005706.tif 000006
【図６】
0004005706.tif 000007
【図７】
0004005706.tif 000008